(57)【要約】【課題】回転体の装着孔に回転軸を挿通させることにより、該回転体を回転軸に装着するにあたり、該回転体を、破損させることなく、スムーズに回転軸に装着可能な回転体の装着装置及び方法を提供することを課題とする。【解決手段】中心部に装着孔４が穿設された板状の回転体３を保持する保持具１７と、これを移動させる移動機構１８とを備え、移動機構１８は、前記保持具１７の保持面２６ｂに被保持面３ａが保持された回転体３を、回転軸６ａの軸方向に移動させ、該装着孔４に回転軸６ａを挿通させる構造とし、前記保持具１７には、回転体３が保持面２６ｂ側に保持されるようにエヤを吸引する吸引手段２７，３１と、該吸引保持が維持された状態で、前記保持面２６ｂと被保持面３ａとの間に、回転体３の動きを許容する隙間Ｓ１が形成されるようにエヤを吐出す吐出手段２８とを設ける。【選択図】図４
2016136446.tif 000002
【特許請求の範囲】
【請求項１】
装着孔が穿設された板状の回転体を、回転駆動される回転軸に装着する回転体の装着装置であって、
前記回転体の片面である被保持面と直接対向して該回転体を保持する保持面を有する保持具と、
該保持具を前記回転軸の軸方向に移動させる移動機構とを備え、
該移動機構は、前記保持具に保持された回転体の上記装着孔を、前記回転軸の延長線上に位置させた状態で、該保持具を前記回転軸の軸方向に移動させることにより、該回転体の装着孔に上記回転軸を挿通させる構造とし、
前記保持具は、
上記回転体が保持面側に保持されるようにエヤを吸引する吸引手段と、
該吸引手段によって保持された回転体が該保持を維持した状態で、前記保持面と被保持面との間に該回転体の面方向への動きを許容する隙間が形成されるように、エヤを吐出す吐出手段とを含む
ことを特徴とする回転体の装着装置。
【請求項２】
前記吐出手段は、保持具側から回転体に向かってエヤを吐出す吐出部であり、
前記吸引手段は、回転体の装着孔を介して保持具側にエヤを吸引する吸引部である
請求項１に記載の回転体の装着装置。
【請求項３】
前記吸引部へのエヤの吸引量を、上記吐出部によるエヤの吐出量よりも多くなるように設定し、
該吸引部を、回転軸が装着孔に挿通された状態で、該装着孔の周縁と、回転軸の外周との間に形成された隙間からエヤを吸引する構成とした
請求項２に記載の回転体の装着装置。
【請求項４】
前記保持具は、上記回転軸を嵌合状態で挿入させる挿入部を有し、
前記移動機構は、上記回転軸が回転体の装着孔を挿通された後に、挿入部に挿入されるようにして、該回転軸側に保持具を移動させる構造とした
請求項２又は３の何れかに記載の回転体の装着装置。
【請求項５】
前記吸引部は、上記挿入部側に形成された
請求項４に記載の回転体の装着装置。
【請求項６】
前記吸引部及び吐出部をそれぞれ複数設け、
該複数の吸引部を、挿入部の軸方向視で、該挿入部の周囲に均等に配置し、
該複数の吐出部を、挿入部の軸方向視で、該挿入部の周囲に均等に配置した
請求項４又は５の何れかに記載の回転体の装着装置。
【請求項７】
前記吸引部を、挿入部の軸回りに配置するにあたり、上記吐出部に対して、挿入部の軸回りの位相をずらして配置した
請求項６に記載の回転体の装着装置。
【請求項８】
前記吸引部を、挿入部の軸回りに配置するにあたり、上記吐出部に対して、挿入部の軸回りの位相を一致させて配置し、
該吸引部及を挿入部の軸心から近い側に配置するとともに、前記吐出部を挿入部の軸心から遠い側に配置した
請求項６に記載の回転体の装着装置。
【請求項９】
前記回転体が、中心部に装着孔が穿設された光ディスク又は磁気ディスクである
請求項１乃至８の何れかに記載の回転体の装着装置。
【請求項１０】
請求項１乃至９の何れかに記載の回転体の装着装置を用いて前記回転体を回転軸に装着する
ことを特徴とする回転体の装着方法。
【発明の詳細な説明】
【技術分野】
【０００１】
この発明は、装着孔が穿設された板状の回転体を回転軸に装着するディスクの装着装置及び方法に関する。
【背景技術】
【０００２】
中心部に装着孔が穿設された光ディスク（回転体）を、再生装置内に回転駆動可能に設置された回転軸に装着するため、該光ディスクの中心部に穿設された装着孔に、回転軸を挿通させる作業を自動的に行う回転体の装着装置及び方法が従来公知である。
【０００３】
例えば、前記光ディスクの片面である被保持面と直接対向して該光ディスクを保持する保持面を有する保持具と、該保持具に保持された光ディスクを移動させる移動機構と、エヤを吐出す吐出手段とを備え、前記保持具は光ディスクの上面側を保持するようにエヤを吸引する吸引手段を有し、上記移動機構によって、前記回転軸の直上に移動された保持具は、エヤの吸引を停止させて光ディスクの保持を解除することにより、装着孔に回転軸が挿入されるように、該光ディスクを落下させ、この後、吐出手段によって、光ディスクの上面にエヤを吹付けることにより、回動軸を、光ディスクの装着孔に完全に挿通させる回転体の装着装置及び方法が公知になっている（例えば、特許文献１を参照。）。
【先行技術文献】
【特許文献】
【０００４】
【特許文献１】特開２００７−０５８９４８号公報
【発明の概要】
【発明が解決しようとする課題】
【０００５】
しかし、上記文献の回転体の装着装置及び方法は、回転軸の径と装着孔の径とが略同一に設定されているため、回転軸を装着孔に挿通させる際、回転軸と装着孔との位置合せが困難であり、この位置合せができない状態で、エヤの吐出等により、回転軸を強制的に装着孔に挿通させると、回転軸の先端面又は外周面と、装着孔の周縁との接触によって、回転体を破損させる場合がある。
【０００６】
本発明は、回転体の装着孔に回転軸を挿通させることにより、該回転体を回転軸に装着するにあたり、該回転体を、破損させることなく、スムーズに回転軸に装着可能な回転体の装着装置及び方法を提供することを課題とする。
【課題を解決するための手段】
【０００７】
本発明の回転体の装着装置は、装着孔が穿設された板状の回転体を、回転駆動される回転軸に装着する回転体の装着装置であって、前記回転体の片面である被保持面と直接対向して該回転体を保持する保持面を有する保持具と、該保持具を前記回転軸の軸方向に移動させる移動機構とを備え、該移動機構は、前記保持具に保持された回転体の上記装着孔を、前記回転軸の延長線上に位置させた状態で、該保持具を前記回転軸の軸方向に移動させることにより、該回転体の装着孔に上記回転軸を挿通させる構造とし、前記保持具は、上記回転体が保持面側に保持されるようにエヤを吸引する吸引手段と、該吸引手段によって保持された回転体が該保持を維持した状態で、前記保持面と被保持面との間に該回転体の面方向への動きを許容する隙間が形成されるように、エヤを吐出す吐出手段とを含むことを特徴とする。
【０００８】
前記吐出手段は、保持具側から回転体に向かってエヤを吐出す吐出部であり、前記吸引手段は、回転体の装着孔を介して保持具側にエヤを吸引する吸引部であるものとしてもよい。
【０００９】
前記吸引部へのエヤの吸引量を、上記吐出部によるエヤの吐出量よりも多くなるように設定し、該吸引部を、回転軸が装着孔に挿通された状態で、該装着孔の周縁と、回転軸の外周との間に形成された隙間からエヤを吸引する構成としたものとしてもよい。
【００１０】
前記保持具は、上記回転軸を嵌合状態で挿入させる挿入部を有し、前記移動機構は、上記回転軸が回転体の装着孔を挿通された後に、挿入部に挿入されるようにして、該回転軸側に保持具を移動させる構造としたものとしてもよい。
【００１１】
前記吸引部は、上記挿入部側に形成されたものとしてもよい。
【００１２】
前記吸引部及び吐出部をそれぞれ複数設け、該複数の吸引部を、挿入部の軸方向視で、該挿入部の周囲に均等に配置し、該複数の吐出部を、挿入部の軸方向視で、該挿入部の周囲に均等に配置したものとしてもよい。
【００１３】
前記吸引部を、挿入部の軸回りに配置するにあたり、上記吐出部に対して、挿入部の軸回りの位相をずらして配置したものとしてもよい。
【００１４】
前記吸引部を、挿入部の軸回りに配置するにあたり、上記吐出部に対して、挿入部の軸回りの位相を一致させて配置し、該吸引部を挿入部の軸心から近い側に配置するとともに、前記吐出部を挿入部の軸心から遠い側に配置したものとしてもよい。
【００１５】
前記回転体が、中心部に装着孔が穿設された光ディスク又は磁気ディスクであるものとしてもよい。
【００１６】
また、本発明の回転体の装着方法は、上記回転体の装着装置を用いて前記回転体を回転軸に装着することを特徴とする。
【発明の効果】
【００１７】
吐出手段によって吐出されるエヤによって、保持具に保持された回転体の被保持面と、該保持具の保持面との間に隙間が形成され、該隙間によって、保持具に保持された回転体の面方向への動きが許容されるため、回転軸が装着孔に挿通される際に、両者の位置合せがスムーズに行われ、回転体を破損させることなく、スムーズに回転軸に装着することが可能になる。
【図面の簡単な説明】
【００１８】
【図１】本発明を適用したディスクの装着装置の正面図である。
【図２】磁気ディスク装置の構成を示す説明図である。
【図３】（Ａ）は保持体の底面図であり、（Ｂ）は（Ａ）のＢ−Ｂ断面図であり、（Ｃ）は（Ａ）のＣ−Ｃ断面図である。
【図４】（Ａ）は吸引部の作用状態を示す側断面図であり、（Ｂ）は吐出部の作用状態を示す側断面図である。
【図５】ディスクの装着装置の別実施形態の構成を示す要部側断面図である。
【図６】ディスクの装着装置の別実施形態の構成を示す要部側断面図である。
【発明を実施するための形態】
【００１９】
図１は、本発明を適用したディスクの装着装置の正面図である。図示するディスクの装着装置（回転体の装着装置）は、図示しない載置台に位置決め載置された磁気ディスク装置（ハードディスク）１（図２参照）の筐体２に、磁気ディスク（回転体，ディスク）３を装着するように構成されている。
【００２０】
まず、図２に基づき、磁気ディスク装置１の構成を説明する。
【００２１】
図２は、磁気ディスク装置の構成を示す説明図である。図示する磁気ディスク装置１は、中心部に円形の装着孔４が穿設された円盤状の上記磁気ディスク３と、該磁気ディスク３を内部に収容する上記筐体２と、該筐体２に設置されて前記磁気ディスク３を回転駆動させるスピンドルモータ（アクチュエータ、電動モータ）６と、磁気ディスク３の片面又は両面の大部分（具体的には、後述するスペーサ９が接触しない部分）に形成された記憶面へのデータの書込み又は記憶面からのデータの読込みを行うキャリッジ７とを有している。
【００２２】
上記筐体２は、厚みを有する方形板状に成形され、この筐体２の厚み方向の片面側は、全体又は略全体に亘り開放されている。筐体２の開放された前記片面側は、図示しないケース蓋（図示しない）によって、密閉状態で閉塞される。この筐体２の内部底面と、ケース蓋との間に、磁気ディスク３等を各種機器を収容する収容スペースが形成されている。この他、筐体２における開放側と反対側の面には、図示しないメイン基板（制御基板）が、上記スピンドルモータ６を露出させた状態で設置されている。
【００２３】
上記スピンドルモータ６は、図示しない本体部分が、筐体２の底部側に設置され、回転部分である円柱状のハブ（回転軸）６ａが、筐体２の底部から開放側に向かって垂直又は略垂直に突出している。このハブ６ａを、上記磁気ディスク３の装着孔４に嵌合して挿通させることにより、該磁気ディスク３をハブ６ａ（筐体２，磁気ディスク装置１）に装着する。
【００２４】
上記磁気ディスク３は、アルミニウム材又はガラス材等から構成されている。この磁気ディスク３は、筐体２における面状の底部と平行な状態で、筐体２内に複数収容されている。この複数の磁気ディスク３は、互いに平行な状態で筐体２内に積層されている。ハブ６ａの軸方向で隣接する磁気ディスク３，３の間には、ハブ６ａが嵌合して挿通されるリング状のスペーサ９が介設され、これによって隣接する磁気ディスク３，３の間に所定の間隔（具体的には、スペーサ９の厚み分の間隔）が形成される。
【００２５】
上記キャリッジ７は、ベアリング１１と、該ベアリング１１によって基端部を支点に磁気ディスク３の径方向に沿って揺動可能に支持されるスイングアーム１２と、前記ベアリング１１側に設置され且つ上記スイングアーム１２を揺動駆動させるボイスホイルモータ（アクチュエータ）１３とを、筐体２内に有している。
【００２６】
スイングアーム１２は、ボイスホイルモータ１３によって、一方側に揺動された場合、先端部が磁気ディスク３の記憶面から退避した退避状態に切換えられ、他方側に揺動される場合、先端部が磁気ディスク３の記憶面に臨む作動状態に切換えられる。このスイングアーム１２の先端部には、サスペンション１２ａが形成されている。
【００２７】
このサスペンション１２ａは、磁気ディスク３への揺動時に、該磁気ディスク３の各記憶面に近接対向した状態で臨むように構成されている。このサスペンション１２ａは、磁気ディスク３の記憶面から離間・近接する方向に弾性変形することが許容され、該記憶面と対向する各面には、磁気ヘッド１４が設けられている。
【００２８】
この磁気ヘッド１４は、スイングアーム１２の先端部が記憶面側に臨んだ状態で、該記憶面への情報のリード・ライド（データの書込・読込）を行う。このボイスホイルモータ１３によるスイングアーム１２の揺動位置制御や、リート・ライト制御を含む各種制御は、筐体２内のサブ基板（制御基板）１６や上記メイン基板によって実行される。
【００２９】
上記したディスクの装着装置は、この磁気ディスク装置１の組立作業（製造作業）を行う組立装置（製造装置）の一部を構成するものであり、磁気ディスク３のハブ６ａへの装着作業を行う。
【００３０】
次に、図１、図３及び図４に基づき、ディスクの装着装置の構成を説明する。
【００３１】
図１に示す通り、このディスクの装着装置は、組立完了前の未完成状態の磁気ディスク装置１であるワークＷ（具体的には、筐体２）が、開放側が上方を向き且つハブ６ａが上下方向（具体的には、鉛直方向）を向くようにして、位置決め載置される上述の載置台と、磁気ディスク３の片面である被保持面３ａと直に対向して該磁気ディスク３を保持する保持具１７と、上記ハブ６ａの軸方向に保持具１７を移動させる移動機構１８とを備えている。
【００３２】
移動機構１８は、ハブ６ａの軸方向に対して平行な複数（具体的には一対）のレール１９と、該レール１９にスライド自在に支持された移動体２１と、該移動体２１をレール１９に沿って移動駆動させるアクチュエータ（図示しない）と、該移動体２１に保持具１７を支持する支持部材２２とを備えている。
【００３３】
保持具１７は、円筒状に成形され、その内部には、ハブ６ａを嵌合して挿入可能な挿入穴（挿入部）１７ａが開口形成されている。上記支持部材２２は、この挿入穴１７ａと、ワークＷに設置されたハブ６ａとが同一軸心となるようにして、保持具１７を移動体２１側に保持するように構成されている。
【００３４】
挿入穴１７ａの径は、磁気ディスク３の装着孔３ａの径よりも若干大きく設定されている（図４参照）。このため、ハブ６ａの挿入部１７ａへの挿入作業は、ハブ６ａの装着孔３ａへの挿入作業に比べて、行い易くなっている。
【００３５】
支持部材２２の具体的な構成をさらに説明すると、支持部材２２は、方形板状に成形された一対の支持プレート２３と、該一対の支持プレート２３を、所定間隔を介して平行に対向させた状態で連結固定する棒状の連結フレーム２４とを有している。連結フレーム２４は、支持プレート２３の四隅をそれぞれ各別に連結するように４つ設けられている。一方（図示する例では上側）の支持プレート２３は移動体２１に取付固定され、他方（図示する例では下側）の支持プレート２３には、保持具１７における磁気ディスク３を保持する端部（先端部）と反対側の端部（基端部）が取付固定されている。
【００３６】
保持具１７は、挿入穴１７ａの中心と、磁気ディスク３（装着孔４）の中心とを一致させた状態で、該磁気ディスク３を保持する。挿入穴１７ａと、ハブ６ａとは、上述した通り、同一軸心となるため、移動機構１８は、保持具１７に保持された磁気ディスク３の上記装着孔４を、前記ハブ６ａの軸心（ハブ６ａの延長線上）に位置させた状態で、該保持具１７を前記ハブ６ａの軸方向に移動させる構造となる。
【００３７】
この保持具１７の先端部は、別体で円筒状に形成された保持体（保持部）２６によって構成されている。この保持体２６は、ボルト等によって、保持具１７のその他の部分に着脱可能に取付固定されている。
【００３８】
図３（Ａ）は保持体の底面図であり、（Ｂ）は（Ａ）のＢ−Ｂ断面図であり、（Ｃ）は（Ａ）のＣ−Ｃ断面図である。前記保持体２６の内周面（挿入穴面）２６ａは、上記挿通孔１７ａの内周面の一部を構成している。この保持体２６外周の先端側半部は、自身の基端側半部に対して、段状に径が縮径され、さらに、この先端側半部は、先端方向に向かって径が徐々に減少するテーパ状の形状に成形されている。
【００３９】
また、この保持体２６（保持具１７）の先端面は、磁気ディスク３の片面（具体的には、筐体２の開放側の面）である上記被保持面３ａを保持する保持面２６ｂになる。ちなみに、上記テーパ形状によって、保持具１７と磁気ディスク３とが対向する面積を減少させることが可能になり、これによって、磁気ディスク３の記憶面に、保持具１７が接触することが極力防止される。
【００４０】
この保持部２６（保持具１７）には、磁気ディスク３が保持面２６ａ側に保持されるようにエヤを吸引する吸引部（吸引手段）２７と、該吸引部２７によって保持された磁気ディスク３の被保持面３ａにエヤを吐出する吐出部（吐出手段）２８とが設けられている。
【００４１】
図４（Ａ）は吸引部の作用状態を示す側断面図であり、（Ｂ）は吐出部の作用状態を示す側断面図である。図３及び図４に示す通り、吸引部２７は、挿入穴１７ａの内周側設けられ、さらに具体的には、ハブ６ａの軸方向に沿って（平行に）延びる吸引孔２７ａと、この吸引孔２７ａの保持面２６ｂ側の端部を広く開口させる拡大開口部２７ｂとを有している。
【００４２】
拡大開口部２７ｂは、吸引孔２７ａを、保持面２６ｂ（被保持面３ａ）側と、挿入穴１７ａの内周面（ハブ６ａの外周面）とに対して、開口させる。この拡大開口部２７ｂは、挿入穴１７ａの軸方向視で、挿入穴１７ａの円形断面に沿う円弧状に成形されている。
【００４３】
この吸引部２７は複数設けられ、この複数の吸引部２７は、挿入穴１７ａの軸方向視で、該挿入穴１７ａの軸回りに所定間隔毎（図示する例では、等間隔舞）に満遍無く配置されている。言換えると、吸引部２７は、挿入穴１７ａの周囲に均等に配置されている。
【００４４】
吐出部２８は、ハブ６ａの軸方向に沿って（平行に）延びる吐出孔である。この吐出孔２８は、該構成によって、保持面２６ｂ（被保持面３ａ）側に開口している。このため、吐出孔２８からのエヤは、保持面２６ｂから吐出され、磁気ディスク３の被保持面３ａに吹付けられる。
【００４５】
この吐出孔２８も吸引部２７と同様に複数設けられ、この複数の吐出孔２８は、挿入穴１７ａの軸方向視で、該挿入穴１７ａの軸回りに所定間隔毎に満遍無く配置されている。言換えると、吐出孔２８は、該挿入穴１７ａの周囲に均等に配置されている。
【００４６】
ちなみに、吸引部２７と吐出孔２８とは同数設けられているため、吸引部２７同士の隣接間隔と、吐出孔２８同士の隣接間隔とは、同一である。そして、図示する例では、挿通穴１７ａの軸心からの距離が、吸引部２７（具体的には吸引穴２７ａ）と、吐出孔２８とで、同一であるため、吸引部２７と吐出孔２８とは、挿入穴１７ａの軸回りに位相をずらして配置されている。具体的には、隣接する吸引部２７，２７の間の中間部分に、吐出孔２８が配置形成されている。
【００４７】
また、この吸引部２７にエヤを吸引する作業や、吐出孔２８からのエヤを吐出させる作業を行うため、保持具１７には、エヤの供給用又はエヤの排出用のパイプ２９が接続されている。ちなみに、このパイプ２９（図１参照）は、支持部材２２によって位置決め支持されている。
【００４８】
次に、図２及び図４に基づき、上記構成のディスクの装着装置を用いた磁気ディスク３の装着方法について、説明する。
【００４９】
保持具１７の保持面２６ｂと、磁気ディスク３の被保持面３ａとを近接状態で対向させた状態で、吸引部２７からのエヤの吸引と、吐出孔２８からのエヤの吐出とを同時に行う。
【００５０】
まず、吸引部２７によるエヤの吸引の作用を説明すると、該吸引によって、磁気ディスク３の被保持面３ａと反対側（具体的には、磁気ディスク３の直下）のエヤが、該磁気ディスク３の装着孔４を通過して、挿入穴１７ａ側に流動し、拡大開口部２７ｂから吸引孔２７ａに吸込まれ、磁気ディスク３（具体的には、磁気ディスク３の被保持面３ａ）を、保持面２６ｂに保持させる。
【００５１】
続いて、吐出部２８からのエヤの吐出の作用を説明すると、吐出部２８からのエヤは、保持面２６ｂから吐出され、磁気ディスク３の被保持面３ａに垂直に吹付きけられ、保持面２６ｂと被保持面３ａとの間に隙間Ｓ１が形成される。ちなみに、この隙間Ｓ１が形成された状態でも、吸引部２７のエヤ吸引による磁気ディスク３の保持は維持される。この隙間Ｓ１の間隔は、数ミクロン程度であるが、これによって、磁気ディスク３の面方向への動きや、自身の中心を支点とした回転動作が許容される。
【００５２】
すなわち、エヤの吸引と吐出を併用することによって、保持具１７による磁気ディスク３の非接触保持を可能としている。さらに本例では、エヤの吐出の圧力に対して、エヤの吸引の圧力は高く（具体的には、５〜６倍程度）設定されている。言換えると、エヤの吐出量（正確には単位時間当たりの吐出側のエヤの流量）よりも、エヤの吸引量（正確には単位時間当たりの吸引側のエヤの流量）が多く設定されている。
【００５３】
ちなみに、上記した通り、エヤが吸引部２７に吸引される際、装着孔４を通過して挿通孔２７ａ側に流動し、しかも、この吸引は、挿通孔２７ａの軸回りで均等に行われるため、上記のように磁気ディスク３の面方向への移動が許容された状態では、磁気ディスク３の装着孔３ａの中心を、挿入孔１７ａ及びハブ６ａの軸心と一致させる力が、該磁気ディスク３に作用し、このセンタリング作用によって、該磁気ディスク３の装着孔３ａへのハブ６ａの挿入が行い易くなる。
【００５４】
また、磁気ディスク３の面方向への動きが許容されるため、挿入孔１７ａ及びハブ６ａの軸心に対して、磁気ディスク３の装着孔４の中心がずれている状態でも、ハブ６ａの先端や周面が磁気ディスク３の装着孔４の周縁に接触することにより、センタリング作用が生じ、これによっても該磁気ディスク３の装着孔４へのハブ６ａの挿入が行い易くなる。
【００５５】
さらに、一度、磁気ディスク３の装着孔４にハブ６ａが挿通された状態では、磁気ディスク３の被保持面３ａと反対側のエヤが、該装着孔３ａの周縁と、ハブ６ａの外周面との間に形成された隙間Ｓ２を通過して、挿入穴１７ａ側に流動し、その後、拡大開口部２７ｂから、吸引孔２７ａに吸込まれる。ちなみに、エヤの吸引に際しては、隙間Ｓ１を介して、保持体２６の外周側からもエヤを吸引する経路は形成されるが、吐出孔２８からのエヤの吐出や、その吐出量設定によって、この経路からのエヤの吸引は完全に行われないか、或は殆ど行われなくなる。
【００５６】
これによって、上記したセンタリング効果がより高まり、ハブ６ａの装着孔４への挿通作業を、さらにスムーズに行うことが可能になる。ちなみに、この隙間Ｓ２の間隔は、０．０１〜０．０５ｍｍ（さらに好ましくは、０．０１〜０．０２ｍｍ）程度である。
【００５７】
このようにして、ハブ６ａが装着孔４に挿通された後、さらに挿入穴１７ａに挿入されると、挿入穴１７ａの内周面と、ハブ６ａの外周面との間にもエヤの流動が発生し、これによって、さらにセンタリング効果が高まる。ちなみに、挿入穴１７ａには、このハブ６ａと同一軸心となる係止軸（図示しない）が配置され、この係止軸へのハブ６ａの接当によって、ハブ６ａの挿入穴１７ａへのそれ以上の挿入が規制（具体的には禁止）される。
【００５８】
以上のように構成されるディスクの装着装置及び方法によれば、磁気ディスク３の非接触状態での保持と、センタリング作用によって、装着孔４の周縁に、ハブ６ａが接触することを極力防止した状態で、磁気ディスク３のハブ６ａ（ワーク）への装着が可能になる。
【００５９】
また、磁気ディスク３は、複数が積層されているため、その一部が破損すると、その欠片が、該下側に位置する別の磁気ディスク３の記憶面上に残留し、磁気ディスク３の故障の原因にもなるが、これが未然に防止されるので、メリットが大きい。
【００６０】
さらに、吐出されるエヤの量（圧力）は、吸引されるエヤの量（圧力）よりも低く設定されるため、クリーンルーム等で用いた場合でも、埃等を舞い上げるリスクを極力低減できる。
【００６１】
なお、このディスクの装着装置及び方法（回転体の装着装置及び方法）は、磁気ディスク３の装着のみならず、光ディスクの装着にも適用可能である。この場合、ディスク３は、光ディスクになり、上記したディスクの装着装置及び方法は、組立装置の一部ではなく、光ディスクの再生装置等の一部を構成することになる。この他、回転軸（上記例ではハブ６ａ）が挿入される装着孔４を有する板状の回転体であれば、円盤状の光ディスクや磁気ディスク等のディスクに限定されるものでもない。
【００６２】
言換えると、この回転体の装着装置及び方法は、磁気ディスクの組立装置（製造装置又は方法）や、光ディスクの再生装置にも適用可能であるばかりでなく、その他一般の回転体の回転軸への装着にも適用可能であり、汎用性が高い。
【００６３】
次に、図５に基づき、上記構成のディスクの装着装置及び方法の別実施形態について、上述の形態と異なる点を説明する。
【００６４】
図５は、ディスクの装着装置の別実施形態の構成を示す要部側断面図である。同図に示す形態では、吸引部２７及び吐出孔２８における挿入穴１７ａの軸回りの位相を、同一に設定している。挿入穴１７ａの軸回りの同一箇所に形成された吸引部２７及び吐出孔２８の内、吸引部２７を、挿入穴１７ａの軸心から近い側に配置するとともに、吐出孔２８を、挿入穴１７ａの軸心から遠い側に配置している。各部の作用状態は、上述の形態と同様である。
【００６５】
吸引部２７及び吐出孔２８の挿入穴１７ａの軸回りに位相を同一位相に配置すれば、該挿入穴１７ａの軸回りにより多くの吸引部２７及び吐出部２８を設けることが可能になる。
【００６６】
なお、吸引部２７を、吐出孔２８よりも、挿入穴１７ａ寄りに配置すれば、該吸引部２７を、挿入穴１７ａに臨ませる必要は必ずしもなく、ディスク３の保持時に、装着孔４を介して、エヤの吸引が可能な程度に、挿入穴１７ａに近づけて設ければよい。
【００６７】
次に、図６に基づき、上記構成のディスクの装着装置及び方法の別実施形態について、上述の形態と異なる点を説明する。
【００６８】
図６は、ディスクの装着装置の別実施形態の構成を示す要部側断面図である。同図に示す形態では、挿入穴１７ａの軸回りの位相が同一に設定された吸引部２７及び吐出孔２８のさらに外側に、上記位相を同一にして、挿入穴１７ａの軸心と平行な吸引孔（吸引部）３１を穿設している。
【００６９】
そして、挿入穴１７ａに対して、吸引孔３１よりのさらに離間した側に、壁部３２が形成されている。壁部３２は、保持体２６の上記したテーパ面を、全周に亘り、外側から囲繞する円筒状に形成され、この円筒状の壁部３２の軸心は、挿入穴１７ａの軸心と同一に設定されている。
【００７０】
また、ディスク３の保持時、壁部３２の先端と、ディスク３の被保持面３ａとの間にも、ディスク３の面方向への移動等を許容する隙間Ｓ３が形成される。吸引孔３１からもエヤの吸引が実行され、この際には、このエヤが、壁部３２の外周側から隙間Ｓ３を通って、保持体２６のテーパ面側に達し、該吸引孔３１から吸込まれる。
【００７１】
このように挿入穴１７ａの軸回りの同一箇所に、吐出孔２８を挟んで、２つの吸引部２７，３１を設けているため、ディスク３をより良いバランスで保持させることが可能になる。
【符号の説明】
【００７２】
３  磁気ディスク（回転体，ディスク，光ディスク）
３ａ  被保持面
４  装着孔
６ａ  ハブ（回転軸）
１７  保持具
１７ａ  挿入穴（挿入部）
１８  移動機構
２６ｂ  保持面
２７  吸引部（吸引手段）
２８  吐出孔（吐出手段，吐出部）
３１  吸引孔（吸引部）
Ｓ１  隙間
Ｓ２  隙間
【図１】
2016136446.tif 000003
【図２】
2016136446.tif 000004
【図３】
2016136446.tif 000005
【図４】
2016136446.tif 000006
【図５】
2016136446.tif 000007
【図６】
2016136446.tif 000008